【手続補正書】
【提出日】平成19年10月19日(2007.10.19)
【手続補正１】
【補正対象書類名】明細書
【補正対象項目名】発明の名称
【補正方法】変更
【補正の内容】
【発明の名称】情報処理装置、印刷制御装置、情報処理装置の印刷設定方法、印刷制御装置の制御方法、記憶媒体
【手続補正２】
【補正対象書類名】明細書
【補正対象項目名】特許請求の範囲
【補正方法】変更
【補正の内容】
【特許請求の範囲】
【請求項１】  印刷装置にプリンタドライバを介してジョブの実行を指示可能な情報処理装置であって、
前記ジョブに対して複数部数印刷するように指定されているか否かを判定する部数判定手段と、
前記部数判定手段によって前記ジョブに対して複数部数印刷するように指定されていると判定された場合に、前記複数部数印刷するように指定されたジョブの出力データに、部ごとに異なる特定情報を付与するように設定する印刷設定手段と、
を有することを特徴とする情報処理装置。
【請求項２】  前記印刷設定手段は、前記特定情報を前記出力データに付与するか否かを設定する設定手段を有することを特徴とする請求項１記載の情報処理装置。
【請求項３】  前記印刷設定手段は、前記出力データに付与する前記特定情報の印刷位置を指定する位置指定手段を有することを特徴とする請求項１記載の情報処理装置。
【請求項４】  前記特定情報は、数字，人名，記号，バーコードのいずれかであることを特徴とする請求項１〜３のいずれかに記載の情報処理装置。
【請求項５】  前記印刷設定手段により前記特定情報を付与するように設定されたか否かを判定する設定判定手段と、
前記設定判定手段により前記特定情報を付与するように設定されたと判定した場合に、前記ジョブの出力データに前記特定情報を付与するように指示するコマンドを前記ジョブに付加するコマンド付加手段と、
を有することを特徴とする請求項１記載の情報処理装置。
【請求項６】  ジョブの実行を指示する情報処理装置と通信してジョブを受信して処理する印刷制御装置であって、
複数部数印刷するように指定されたジョブの出力データに、部ごとに異なる特定情報を付与するように設定されているかどうかを判断する判断手段と、
前記判断手段により前記特定情報を付与するように設定されていると判断した場合に、前記複数部数印刷するように指定されたジョブの出力データに前記特定情報を付与する付与手段と、
前記付与手段により前記特定情報が付与された前記出力データを印刷手段によって印刷するように制御する印刷制御手段と、
を有することを特徴とする印刷制御装置。
【請求項７】  前記特定情報を記憶する記憶手段をさらに有し、
前記付与手段は、前記出力データに付与する前記特定情報を前記記憶手段から読み出して付与することを特徴とする請求項６記載の印刷制御装置。
【請求項８】  前記付与手段は、前記部ごとに異なる特定情報を前記出力データ中の所定位置に付与することを特徴とする請求項６記載の印刷制御装置。
【請求項９】  前記付与手段は、部ごとに異なる特定情報を前記出力データ中の、ユーザによって指定される任意の位置に付与することを特徴とする請求項６記載の印刷制御装置。
【請求項１０】  前記特定情報は、数字，人名，記号，バーコードのいずれかであることを特徴とする請求項６〜９のいずれかに記載の印刷制御装置。
【請求項１１】  前記記憶手段に記憶される特定情報を追加あるいは変更可能に管理する管理手段を有することを特徴とする請求項７記載の印刷制御装置。
【請求項１２】  ジョブの実行を指示可能な情報処理装置の印刷設定方法であって、
前記ジョブに対して複数部数印刷するように指定されているか否かを判定する部数判定ステップと、
前記部数判定ステップにより前記ジョブに対して複数部数印刷するように指定されていると判定された場合に、前記複数部数印刷するように指定されたジョブの出力データに、部ごとに異なる特定情報を付与するように設定する印刷設定ステップと、
を有することを特徴とする情報処理装置の印刷設定方法。
【請求項１３】  前記印刷設定ステップは、前記特定情報を前記出力データに付与するか否かを設定することを特徴とする請求項１２記載の情報処理装置の印刷設定方法。
【請求項１４】  前記印刷設定ステップでは、前記特定情報の印刷位置を指定することを特徴とする請求項１２又は１３記載の情報処理装置の印刷設定方法。
【請求項１５】  前記特定情報は、数字，人名，記号，バーコードのいずれかであることを特徴とする請求項１２〜１４のいずれかに記載の情報処理装置の印刷設定方法。
【請求項１６】  前記印刷設定ステップにより前記特定情報を付与するように設定されたか否かを判定する設定判定ステップと、
前記設定判定ステップにより前記特定情報を付与するように設定されたと判定した場合に、前記ジョブの出力データに前記特定情報を付与するように指示するコマンドを前記ジョブに付加するコマンド付加ステップと、
を有することを特徴とする請求項１２記載の情報処理装置の印刷設定方法。
【請求項１７】  ジョブの実行を指示する情報処理装置と通信してジョブを受信して処理する印刷制御装置の制御方法であって、
複数部数印刷するように指定されたジョブの出力データに、部ごとに異なる特定情報を付加するように設定されているかどうか判断する判断ステップと、
前記判断ステップにより前記特定情報を付与するように設定されていると判断した場合に、前記複数部数印刷するように指定されたジョブの出力データに前記特定情報を付与する付与ステップと、
前記付与ステップにより前記特定情報が付与された出力データを印刷手段によって印刷するように制御する印刷制御ステップと、
を有することを特徴とする印刷制御装置の制御方法。
【請求項１８】  前記付与ステップは、前記出力データに付与する前記特定情報を前記特定情報を記憶する記憶手段から読み出して付与することを特徴とする請求項１７記載の印刷制御装置の制御方法。
【請求項１９】
前記付与ステップは、前記部ごとに異なる特定情報を前記出力データ中の所定位置に付与することを特徴とする請求項１７記載の印刷制御装置の制御方法。
【請求項２０】  前記付与ステップは、前記部ごとに異なる特定情報を前記出力データ中の、ユーザによって指定される任意の位置に付与することを特徴とする請求項１７記載の印刷制御装置の制御方法。
【請求項２１】  前記特定情報は、数字，人名，記号，バーコードのいずれかであることを特徴とする請求項１７〜２０のいずれかに記載の印刷制御装置の制御方法。
【請求項２２】  前記記憶手段に記憶される特定情報を追加あるいは変更可能に管理する管理ステップを有することを特徴とする請求項１８記載の印刷制御装置の制御方法。
【請求項２３】  ジョブの実行指示可能な情報処理装置に、
前記ジョブに対して複数部数印刷するように指定されているか否かを判定する部数判定ステップと、
前記部数判定ステップにより前記ジョブに対して複数部数印刷するように指定されていると判定された場合に、前記複数部数印刷するように指定されたジョブの出力データに、部ごとに異なる特定情報を付与するように設定する印刷設定ステップを実行させるためのプログラムを記録したコンピュータが読み取り可能な記憶媒体。
【請求項２４】  前記印刷設定ステップでは、前記特定情報を前記出力データに付与するか否かを設定することを特徴とする請求項２３記載の記憶媒体。
【請求項２５】  前記印刷設定ステップでは、前記特定情報の印刷位置を指定することを特徴とする請求項２３又は２４機の記憶媒体。
【請求項２６】  前記特定情報は、数字，人名，記号，バーコードのいずれかであることを特徴とする請求項２３〜２５のいずれかに記載の記憶媒体。
【請求項２７】  前記印刷設定ステップにより前記特定情報を付与するように設定されたか否かを判定する設定判定ステップと、
前記設定判定ステップにより前記特定情報を付与するように設定されたと判定した場合に、前記ジョブの出力データに前記特定情報を付与するように指示するコマンドを前記ジョブに付加するコマンド付加ステップと、
を含むことを特徴とする請求項２３記載の記憶媒体。
【請求項２８】  ジョブの実行を指示する情報処理装置と通信してジョブを受信して処理する印刷制御装置に、
複数部数印刷するように指定されたジョブの出力データに、特定情報を付与するように設定されているかどうかを判断する判断ステップと、
前記判断ステップにより前記特定情報を付与するように設定されていると判断した場合に、前記複数部数印刷するように指定されたジョブの出力データに前記特定情報を付与する付与ステップと、
前記付与ステップにより前記特定情報が付与された出力データを印刷手段によって印刷するように制御する制御ステップとを実行させるためのプログラムを記録したコンピュータが読み取り可能な記憶媒体。
【請求項２９】  前記付与ステップは、前記出力データに付与する前記特定情報を前記特定情報を記憶する記憶手段から読み出して前記付与することを特徴とする請求項２８記載の記憶媒体。
【請求項３０】  前記付与ステップは、前記部ごとに異なる特定情報を前記出力データ中の所定位置に付与することを特徴とする請求項２８記載の記憶媒体。
【請求項３１】  前記付与ステップは、前記部ごとに異なる特定情報を前記出力データ中の、ユーザによって指定される任意の位置に付与することを特徴とする請求項２８記載の記憶媒体。
【請求項３２】  前記特定情報は、数字，人名，記号，バーコードのいずれかであることを特徴とする請求項２８〜３１のいずれかに記載の記憶媒体。
【請求項３３】  前記記憶手段に記憶される特定情報を追加あるいは変更可能に管理する管理ステップを有することを特徴とする請求項２９記載の記憶媒体。
【手続補正３】
【補正対象書類名】明細書
【補正対象項目名】０００１
【補正方法】変更
【補正の内容】
【０００１】
【発明の属する技術分野】
本発明は、印刷装置にプリンタドライバを介してジョブの実行を指示可能な情報処理装置の制御並びジョブの実行を指示する情報処理装置と通信してジョブを受信して処理する印刷制御装置における制御に関するものである。
【手続補正４】
【補正対象書類名】明細書
【補正対象項目名】００１１
【補正方法】変更
【補正の内容】
【００１１】
本発明は、上記の問題点を解消するためになされたもので、本発明の目的は、部数印刷指定時に、部毎に異なる特定情報をジョブの出力データに付与する設定を行える仕組みを提供することである。
【手続補正５】
【補正対象書類名】明細書
【補正対象項目名】００１２
【補正方法】変更
【補正の内容】
【００１２】
また、情報処理装置から受信するジョブに対して、部毎に異なる特定情報を出力データに付与して印刷できる仕組みを提供することを目的とする。
【手続補正６】
【補正対象書類名】明細書
【補正対象項目名】００１３
【補正方法】変更
【補正の内容】
【００１３】
【課題を解決するための手段】
本発明に係る情報処理装置は、以下の特徴的構成を備える。
印刷装置にプリンタドライバを介してジョブの実行を指示可能な情報処理装置であって、前記ジョブに対して複数部数印刷するように指定されているか否かを判定する部数判定手段と、前記部数判定手段によって前記ジョブに対して複数部数印刷するように指定されていると判定された場合に、前記複数部数印刷するように指定されたジョブの出力データに、部ごとに異なる特定情報を付与するように設定する印刷設定手段とを有することを特徴とする。
【手続補正７】
【補正対象書類名】明細書
【補正対象項目名】００１４
【補正方法】変更
【補正の内容】
【００１４】
本発明に係る印刷制御装置は、以下の特徴的構成を備える。
ジョブの実行を指示する情報処理装置と通信してジョブを受信して処理する印刷制御装置であって、複数部数印刷するように指定されたジョブの出力データに、部ごとに異なる特定情報を付与するように設定されているかどうかを判断する判断手段と、前記判断手段により前記特定情報を付与するように設定されていると判断した場合に、前記複数部数印刷するように指定されたジョブの出力データに前記特定情報を付加する付加手段と、前記付加手段により前記特定情報が付加された前記出力データを印刷手段によって印刷するように制御する印刷制御手段とを有することを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】０１０１
【補正方法】変更
【補正の内容】
【０１０１】
【発明の効果】
以上説明したように、本発明によれば、部数印刷指定時に、部毎に異なる特定情報をジョブの出力データに付与する設定を行える。
【手続補正４０】
【補正対象書類名】明細書
【補正対象項目名】０１０２
【補正方法】変更
【補正の内容】
【０１０２】
また、情報処理装置から受信するジョブに対して、部毎に異なる特定情報を出力データに付与して印刷できる。